(57)【要約】【課題】伸縮自在なカバーの主な用途である工作機械の保護カバー、その他一般産業用機械の保護カバーにおいて、高速時でのカバーの衝撃、振動、騒音等の発生を軽減させるスプリング式衝撃吸収装置を提供する。【解決手段】カバーボックスＡ−２のプレートＢに設置したスライドケースＤに組み込まれたスライダーＥの円筒ローラー部分を、移動するカバーボックスの裏面に取り付けられたカムプレートＦが押し、スライダーＥをスライドさせることによって、スライダーＥに隣接して設置された圧縮バネＧを圧縮させ、各カバーボックスが伸縮の為に互いに衝突し連結する際の衝撃を圧縮バネＧの圧縮抵抗力により吸収することで問題点を解決している。【選択図】図２
2013202780.tif 000002
【特許請求の範囲】
【請求項１】
複数のカバーボックスより成るテレスコープ式に伸縮自在なカバーに於ける伸縮運動を利用した衝撃吸収装置であって、カバーボックスＡ-2のプレートＢに設置したスライドケースＤに組み込まれたスライダーＥの円筒ローラー部分を、移動するカバーボックスの裏面に取り付けられたカムプレートＦが押し、スライダーＥをスライドさせることによって、スライダーＥに隣接して設置された圧縮バネＧを圧縮させ、各カバーボックスが伸縮の為に互いに衝突し連結する際の衝撃を圧縮バネＧの圧縮抵抗力により吸収することを特徴とするスプリング式衝撃吸収装置。
【発明の詳細な説明】
【技術分野】
【０００１】
本発明は、主として工作機械の保護カバー、その他一般産業機械の保護カバーとして活用するものに関する。
【背景技術】
【０００２】
従来よりゴム状弾性体をクッション装置として用いる事は知られている。一般的にはゴム板をクッション材として用いており、衝撃の際にクッション材の変形を増長することでクッション効果が得られ衝撃を和らげている。伸縮自在カバーボックスは、其の伸縮運動の終わりに連結体が互いに衝突するが、その停止運動を緩衝体により出来るだけ和らげ、衝撃、振動、騒音の発生を減らすようにしている。この緩衝体について実用新案番号第396018254で考案者は、伸縮自在なカバーの往復動に於ける衝撃吸収式連結装置用ゴム状弾性体によるエヤークッション体を考案している。しかし、近年の大型化・高速化に伴いクッション材だけでは、衝撃、振動、騒音等の発生を和らげるには効果が不十分であった。
【発明の概要】
【発明が解決しようとする課題】
【０００３】
伸縮自在なカバーの主な用途である工作機械の保護カバー、その他一般産業用機械の保護カバーは、近年著しい大型化・高速化を遂げている。その為、高速時でのカバーの衝撃、振動、騒音等の発生を軽減させる装置の開発が必要であった。
【課題を解決するための手段】
【０００４】
本発明はかかる問題を解決するため鋭意研究し得られたもので、スプリング式衝撃吸収装置Ｃに関するものであり、カバーボックスＡ-2のプレートＢに設置したスライドケースＤに組み込まれたスライダーＥの円筒ローラー部分を、移動するカバーボックスの裏面に取り付けられたカムプレートＦが押し、スライダーＥをスライドさせることによって、スライダーＥに隣接して設置された圧縮バネＧを圧縮させ、各カバーボックスが伸縮の為に互いに衝突し連結する際の衝撃を圧縮バネＧの圧縮抵抗力により吸収することで問題点を解決している。
【発明の効果】
【０００５】
従来のクッション材のみを設けた方法で、カバーボックスＡ-1を伸び方向に移動させ、カバーボックスＡ-1に配設されているストッパーＨをカバーボックスＡ-2に固定されたプレートＢに直接衝突させて連結させると、大きな衝撃、振動を発生したが、本発明の衝撃吸収装置Ｃ及びカムプレートＦを設置した場合においては、極めて優れた衝撃吸収能力を発揮し、騒音、振動が飛躍的に減少した。
又、縮み方向の移動においても従来のクッションのみを設けた方法で、カバーボックスＡ-1を縮み方向に移動させ、カバーボックスＡ-1をカバーボックスＡ-2に固定されたクッションＨに直接衝突させて連結させると、大きな騒音、振動が発生したが、本考案の摩擦による衝撃吸収装置Ｃ及びカムプレートＦを設置した場合においては、極めて優れた衝撃吸収能力を発揮し、騒音、振動が飛躍的に減少した。
【図面の簡単な説明】
【０００６】
【図１】請求項１に記載のカバーボックス断面斜視図
【図２】請求項１に記載のカバーボックス及びスプリング式衝撃吸収装置の平面図、断面図
【発明を実施するための形態】
【０００７】
請求項１に記載のスプリング式衝撃吸収装置に関する平面図及び断面図を図２に示す。
【０００８】
図２は請求項１に関するものであり、移動する複数のカバーボックスの１つであるカバーボックスＡ-2に固定されたプレートＢにスライドケースＤを固定し、そのスライドケースＤ内部にスライダーＥと圧縮バネＧを併設させることで、スプリング式衝撃吸収装置Ｃは構成される。
【０００９】
又、スライダーＥを介して圧縮バネを圧縮させる為に、カムプレートＦをカバーボックスＡ-1の内面に固定する。
【００１０】
カバーボックスＡ-1の移動によりカバーボックスＡ-2と衝突する手前で、カバーボックスＡ-1の内面に固定されたカムプレートＦがスライダーＥを介して圧縮バネＧを圧縮させることで、圧縮バネＧの圧縮抵抗力が発生し、カバーボックス同士の衝撃時の衝撃を吸収することができる。
【符号の説明】
【００１１】
Ａ-1  カバーボックス
Ａ-2  カバーボックス
Ｂ  プレート
Ｃ  スプリング式衝撃吸収装置
Ｄ  スライドケース
Ｅ  スライダー
Ｆ  カムプレート
Ｇ  圧縮バネ
Ｈ  ストッパー
Ｉ  クッション
【図１】
2013202780.tif 000003
【図２】
2013202780.tif 000004
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
複数のカバーボックスより成るテレスコープ式に伸縮自在なカバーに於けるカバーボックス同士の衝突時の衝撃を吸収する衝撃吸収装置であって、
互いに隣接するカバーボックスのうちの内側のカバーボックス（Ａ-2）に固定されたプレート（Ｂ）の背面に、円筒ローラー部分を有するスライダー（Ｅ）と該スライダー（Ｅ）を押圧する圧縮バネ（Ｇ）とが組み込まれたスライドケース（Ｄ）が設置されて成り、
互いに隣接するカバーボックスのうちの移動する外側のカバーボックスの裏面に取り付けられたカムプレート（Ｆ）が、内側のカバーボックス（Ａ-2）のプレート（Ｂ）に設置された前記スライドケース（Ｄ）に組み込まれたスライダー（Ｅ）の円筒ローラー部分を前記圧縮バネ（Ｇ）とは反対側から押し、カバー伸縮に伴いスライダー（Ｅ）をスライドさせることによって、前記圧縮バネ（Ｇ）を圧縮させ、カバーボックス同士の衝突時の衝撃を圧縮バネ（Ｇ）の圧縮抵抗力により吸収することを特徴とするスプリング式衝撃吸収装置。
【手続補正２】
【補正対象書類名】明細書
【補正対象項目名】全文
【補正方法】変更
【補正の内容】
【発明の詳細な説明】
【技術分野】
【０００１】
本発明は、主として工作機械の保護カバー、その他一般産業機械の保護カバーとして活用するものに関する。
【背景技術】
【０００２】
従来よりゴム状弾性体をクッション装置として用いる事は知られている。一般的にはゴム板をクッション材として用いており、衝撃の際にクッション材の変形を増長することでクッション効果が得られ衝撃を和らげている。伸縮自在カバーボックスは、其の伸縮運動の終わりに連結体が互いに衝突するが、その停止運動を緩衝体により出来るだけ和らげ、衝撃、振動、騒音の発生を減らすようにしている。この緩衝体について本出願人は、伸縮自在なカバーの往復動に於ける衝撃吸収式連結装置用ゴム状弾性体によるエヤークッション体について実用新案登録を取得している（特許文献１参照）。しかし、近年の大型化・高速化に伴いクッション材だけでは、衝撃、振動、騒音等の発生を和らげるには効果が不十分であった。
【先行技術文献】
【特許文献】
【０００３】
【特許文献１】実用新案登録第３０５６７１２号公報
【発明の概要】
【発明が解決しようとする課題】
【０００４】
伸縮自在なカバーの主な用途である工作機械の保護カバー、その他一般産業用機械の保護カバーは、近年著しい大型化・高速化を遂げている。その為、高速時でのカバーの衝撃、振動、騒音等の発生を軽減させる装置の開発が必要であった。
【課題を解決するための手段】
【０００５】
本発明はかかる問題を解決するため鋭意研究し得られたもので、スプリング式衝撃吸収装置（Ｃ）に関するものであり、複数のカバーボックスより成るテレスコープ式に伸縮自在なカバーに於けるカバーボックス同士の衝突時の衝撃を吸収する衝撃吸収装置を、互いに隣接するカバーボックスのうちの内側のカバーボックス（Ａ-2）に固定されたプレート（Ｂ）の背面に、円筒ローラー部分を有するスライダー（Ｅ）と該スライダー（Ｅ）を押圧する圧縮バネ（Ｇ）とが組み込まれたスライドケース（Ｄ）が設置されて成り、互いに隣接するカバーボックスのうちの移動する外側のカバーボックスの裏面に取り付けられたカムプレート（Ｆ）が、内側のカバーボックス（Ａ-2）のプレート（Ｂ）に設置された前記スライドケース（Ｄ）に組み込まれたスライダー（Ｅ）の円筒ローラー部分を前記圧縮バネ（Ｇ）とは反対側から押し、カバー伸縮に伴いスライダー（Ｅ）をスライドさせることによって、前記圧縮バネ（Ｇ）を圧縮させ、カバーボックス同士の衝突時の衝撃を圧縮バネ（Ｇ）の圧縮抵抗力により吸収するスプリング式衝撃吸収装置とすることで問題点を解決している。
【発明の効果】
【０００６】
従来のクッション材のみを設けた方法で、カバーボックス（Ａ-1）を伸び方向に移動させ、カバーボックス（Ａ-1）に配設されているストッパー（Ｈ）をカバーボックス（Ａ-2）に固定されたプレート（Ｂ）に直接衝突させて連結させると、大きな衝撃、振動を発生したが、本発明の衝撃吸収装置（Ｃ）及びカムプレート（Ｆ）を設置した場合においては、極めて優れた衝撃吸収能力を発揮し、騒音、振動が飛躍的に減少した。
又、縮み方向の移動においても従来のクッションのみを設けた方法で、カバーボックス（Ａ-1）を縮み方向に移動させ、カバーボックス（Ａ-1）をカバーボックス（Ａ-2）に固定されたクッション（Ｈ）に直接衝突させて連結させると、大きな騒音、振動が発生したが、本発明の衝撃吸収装置（Ｃ）及びカムプレート（Ｆ）を設置した場合においては、極めて優れた衝撃吸収能力を発揮し、騒音、振動が飛躍的に減少した。
【図面の簡単な説明】
【０００７】
【図１】本発明の実施形態の一例を示すカバーボックス断面斜視図
【図２】本発明の実施形態の一例を示すカバーボックス及びスプリング式衝撃吸収装置の平面図（ａ）、断面図（ｂ）
【発明を実施するための形態】
【０００８】
図１及び図２は本発明の実施の形態の一例を示している。
【０００９】
この実施形態のカバーは。図１に示すように、複数のカバーボックスＡ-1，Ａ-2より成るテレスコープ式に伸縮自在なカバーであって、図２に示すように、移動する複数のカバーボックスの１つであるカバーボックスＡ-2に固定されたプレートＢにスライドケースＤを固定し、そのスライドケースＤ内部にスライダーＥと圧縮バネＧを併設させることで、スプリング式衝撃吸収装置Ｃが構成されている。また、図２に示すように、カバーボックスＡ-2の左側に位置する他のカバーボックスについても同様にスプリング式衝撃吸収装置Ｃが構成されている。つまり、スプリング式衝撃吸収装置Ｃは、互いに隣接するカバーボックスのうちの内側のカバーボックスＡ-2に固定されたプレートＢの背面に、円筒ローラー部分を有するスライダーＥと該スライダーＥを押圧する圧縮バネＧとが組み込まれたスライドケースＤが設置されることで構成されている。
【００１０】
そして、図２に示すように、スライダーＥを介して圧縮バネを圧縮させる為に、カムプレートＦを右端のカバーボックスＡ-1の内面に固定している。また、図２に示すように、カバーボックスＡ-1の左側に位置するカバーボックスＡ-2およびそのカバーボックスＡ-2のさらに左側に位置するカバーボックスについても同様にカムプレートが設けられている。つまり、互いに隣接するカバーボックスのうちの移動する外側のカバーボックスの裏面にカムプレートＦが取り付けられている。
図１、２において、Ｈはストッパーである。また、図１において、Ｉはクッションである。
【００１１】
この実施形態のカバーは、カバーボックスＡ-1の移動によりカバーボックスＡ-2と衝突する手前で、カバーボックスＡ-1の内面に固定されたカムプレートＦがスライダーＥを介して圧縮バネＧを圧縮させることで、圧縮バネＧの圧縮抵抗力が発生し、カバーボックス同士の衝撃時の衝撃を吸収することができる。つまり、互いに隣接するカバーボックスのうちの外側のカバーボックスＡ-1の裏面に取り付けられたカムプレートＦが、内側のカバーボックスＡ-2のプレートＢに設置されたスライドケースＤに組み込まれたスライダーＥの円筒ローラー部分を圧縮バネＧとは反対側から押し、カバー伸縮に伴いスライダーＥをスライドさせることによって、圧縮バネＧを圧縮させ、カバーボックス同士の衝突時の衝撃を圧縮バネＧの圧縮抵抗力により吸収することができる。
【符号の説明】
【００１２】
Ａ-1  カバーボックス
Ａ-2  カバーボックス
Ｂ  プレート
Ｃ  スプリング式衝撃吸収装置
Ｄ  スライドケース
Ｅ  スライダー
Ｆ  カムプレート
Ｇ  圧縮バネ
Ｈ  ストッパー
Ｉ  クッション
【手続補正３】
【補正対象書類名】図面
【補正対象項目名】図２
【補正方法】変更
【補正の内容】
【図２】
2013202780.tif 000005